(57)【要約】【課題】  締結部材離脱防止部を持つシールド部材を備えることで、作動時に発生するコネクタのＥＭＩを遮断するとともに、ボード対ボードコネクタの結合の際、締結された雌型コネクタと雄型コネクタが勝手に分離されないようにするシールド及び締結型ボードコネクタを提供する。【解決手段】  第１ボードと第２ボードを連結するためのボードコネクタであって、第１ベース及び第１ターミナルを備える第１コネクタ；第２ベース及び第２ターミナルを備える第２コネクタ；及び前記第２ベースの対向する前後方ベースにそれぞれシェル状に備えられてＥＭＩノイズを遮蔽するための二つのシールド部材を含んでなる。【選択図】  図３
2015095447.tif 000002
【特許請求の範囲】
【請求項１】
第１ボードと第２ボードを連結するためのボードコネクタにおいて、
第１ベース及び第１ターミナルを備える第１コネクタ；
第２ベース及び第２ターミナルを備える第２コネクタ；及び
前記第２ベースの対向する前後方ベースにそれぞれシェル状に備えられてＥＭＩノイズを遮蔽するための二つのシールド部材を含んでなることを特徴とする、シールド及び締結型ボードコネクタ。
【請求項２】
前記第２コネクタに備えられ、前記第１コネクタと前記第２コネクタが近接して互いに密着して締結された後、前記第１コネクタが外側方向に移動して勝手に離脱することを防止する締結部材を含んでなることを特徴とする、請求項１に記載のシールド及び締結型ボードコネクタ。
【請求項３】
前記シールド部材は、
前記前後方ベースの外側面を取り囲む垂直部；
前記垂直部と一体に形成され、前後方ベースの上面を取り囲む水平部；
前記垂直部の下端に形成される少なくとも一つのグラウンド用突起：及び
前記水平部の左右側方には下向きに垂直に折り曲げられて形成された締結部材離脱防止部を含んでなることを特徴とする、請求項２に記載のシールド及び締結型ボードコネクタ。
【請求項４】
前記締結部材は、
下側に形成される軸部；
前記軸部の両側に形成される側部；
前記側部の上側に形成される固定部；及び
前記軸部の一側に折れた方向に伸びる押圧部；を含んでなり、
前記押圧部を上方に押せば、前記軸部を基準に前記側部及び固定部が回動することができ、
前記固定部が回動すれば、前記第１コネクタの係合部の外側に位置して外側への離脱を防止しながら支持することを特徴とする、請求項３に記載のシールド及び締結型ボードコネクタ。
【請求項５】
前記第２コネクタは前記第２ベースの側部に締結部を備え、
前記締結部は、
上側に開放した開放部；及び
上側が支持部によって塞がっている定着部；を備え、
前記締結部材は、前記軸部が前記定着部に位置し、前記締結部材を前記定着部を中心に回動可能に支持し、
前記開放部を通じて前記第１コネクタの一部が挿入され、前記押圧部を押せば、前記締結部材が前記軸部を中心に回動し、前記固定部が前記第１コネクタの前記係合部の外側を支持する位置に移動することを特徴とする、請求項４に記載のシールド及び締結型ボードコネクタ。
【請求項６】
前記第１コネクタは、
前記第１ベースに前記第２ベースと見合わせる方向に被圧部が形成され、
前記被圧部が形成された反対側に前記係合部が形成され、
前記第１コネクタと前記第２コネクタが密着するとき、前記第１コネクタの前記被圧部が前記開放部に挿入され、前記締結部材の前記押圧部を加圧すれば、前記締結部材は前記定着部内の前記軸部を中心に回動し、前記固定部が前記係合部の外側を支持する位置に移動することを特徴とする、請求項５に記載のシールド及び締結型ボードコネクタ。
【請求項７】
前記締結部の前記支持部の内側方には上方及び側方に開放する離隔部が形成され、
前記締結部材は、前記軸部が前記離隔部の上方から下方に挿入された後、前記離隔部の下端で側方に移動して前記定着部に位置することを特徴とする、請求項５に記載のシールド及び締結型ボードコネクタ。
【請求項８】
前記締結部の離隔部の内側下方には垂直挿入孔が形成され、締結の際、前記締結部材の離脱防止部の下端が挿入され、前記離脱防止部が前記離隔部空間内で前記軸部を前記定着部内に押すことを特徴とする、請求項７に記載のシールド及び締結型ボードコネクタ。
【請求項９】
前記シールド部材の垂直部の下端には左右両端に形成される二つの第１グラウンド用突起が形成され、前記二つの第１グラウンド用突起の間に離隔して複数の第２グラウンド用突起が形成され、
下部に位置する前記第２ボードには、前記二つの第１グラウンド用突起に対応して二つの第１グラウンド端子が電気的に連結され、前記二つの第１グラウンド端子の間に前記複数の第２グラウンド用突起に対応して第２グラウンド端子が複数配置されることを特徴とする、請求項３に記載のシールド及び締結型ボードコネクタ。
【請求項１０】
前記第２ボードには前記第２ターミナルとの電気的連結のための電気端子が前記第１及び第２グラウンド端子とともに一列に配列され、
前記第２グラウンド端子は前記電気端子より外側に突設されることを特徴とする、請求項９に記載のシールド及び締結型ボードコネクタ。
【請求項１１】
前記第２グラウンド端子には、前記第２ターミナルと前記第２グラウンド用突起が同時に連結されることを特徴とする、請求項１０に記載のシールド及び締結型ボードコネクタ。
【請求項１２】
前記第１ボードに半田付けで結合されない部分である前記第１ターミナルの“Ｕ”字形の接触部には外側に対向するように孔状のメイン接点と突起状のサブ接点が形成され、
前記第２ボードに半田付けで結合されない部分である前記第２ターミナルの“Ｕ”字形の接触部には、内側に対向するように前記孔状のメイン接点に対応するメイン接点突起と前記突起状のサブ接点に対応してガイドされる垂直面状のサブ接点面とが形成されることを特徴とする、請求項１に記載のシールド及び締結型ボードコネクタ。
【請求項１３】
前記第１ボードの左右幅は前記第１コネクタの左右幅より小さいことを特徴とする、請求項１に記載のシールド及び締結型ボードコネクタ。
【請求項１４】
前記シールド部材の垂直部には上下に折り曲げられた折曲部をさらに含んでなることを特徴とする、請求項３に記載のシールド及び締結型ボードコネクタ。
【発明の詳細な説明】
【技術分野】
【０００１】
本発明はボード対ボードコネクタの構造に係り、より詳しくは締結部材離脱防止部を持つシールド（ｓｈｉｅｌｄ）部材備えることで、作動時に発生するコネクタのＥＭＩ（ｅｌｅｃｔｒｏｍａｇｎｅｔｉｃ ｉｎｔｅｒｆｅｒｅｎｃｅ）を遮断するとともに、ボード対ボードコネクタの結合の際、締結された雌型コネクタと雄型コネクタが勝手に分離されないようにするシールド及び締結型ボードコネクタに関するものである。
【背景技術】
【０００２】
一般に、ボード対ボード（ｂｏａｒｄ ｔｏ ｂｏａｒｄ；ＢｔｏＢ）コネクタは多様な回路が印刷されたボードとボードを連結するのに使われる。このようなＢｔｏＢコネクタは、図１に示すように、雄型コネクタ１０と雌型コネクタ２０からなり、雄型コネクタ１０が雌型コネクタ２０に締結されることで互いに結合できるようになっている。
【０００３】
このような雄型コネクタ１０と雌型コネクタ２０は、一応挿入されて締結された後には、結合状態をうまく維持していなければならないが、外力によって互いに分離される場合が発生することができる。これを防止するために、図面のように、それぞれのターミナル１２、１４に互いに見合わせて突出する部分を備えることで、この部分が弾性的に越えて噛み合うようにして結合力が生成するようにする。
【０００４】
しかし、このような結合の場合、ターミナル１２、１４は金属の弾性特性を持っているので、互いに結合した状態でも一定以上の外力が作用する場合には、再び弾性変形して互いに遠くなる方向に容易に分離されることがあるという問題点がある。この場合、少しの衝撃や落下の際、雄型及び雌型コネクタが易しく分離されることができる。また、結合の際にも、互いに完全に結合されたかを振動や騷音、つまりいわゆるクリック感によって認知しにくいという欠点がある。
【０００５】
これを防止するために、噛み合う突起のサイズや形状をより急に変形してより堅固な結合及び衝撃や騷音が発生する動作を引き起こすこともできるが、この場合、結合そのものが非常に難しくなり、結合または分離の際、変形や破損を引き起こす問題点があるため、部品の修理のために雄型及び雌型コネクタを分離しようとするとき、コネクタが破損される等ＰＣＢのようなボードの半田付け部分が分離されることもある。
【発明の概要】
【発明が解決しようとする課題】
【０００６】
本発明は前記のような問題点を解決するためになされたもので、従来の摩擦による結合ではない締結式ロック結合の方式及び構成を用いて、コネクタのＥＭＩを同時に遮断することができるシールド部材を備えたボードコネクタを提供することをその目的とする。
【０００７】
また、前記シールド部材とボードの簡単なグラウンド構成によってＥＭＩ遮蔽機能を向上して高速信号の伝送が可能なボードコネクタを提供することを他の目的とする。
【０００８】
また、締結部材及びシールド部材を活用するだけで、第１及び第２コネクタの安定的な結合によって離脱や分離の現象を防止することができるので、従来のようにターミナルの挿入及び抜出力を高めるための係合突起構造が全く必要でないながらも第１及び第２ターミナルの外形的な締結の位置確認が可能であるとともにターミナルの接触安全性を向上させることができるボードコネクタを提供することをさらに他の目的とする。
【０００９】
また、シェル状のシールド部材そのものの機械的強度を向上することができるボードコネクタを提供することをさらに他の目的とする。
【００１０】
また、ボードの左右幅をコネクタの幅より小さく形成することで、コネクタの再作業（ｒｅｗｏｒｋ）の便宜性を大幅向上させることができるボードコネクタを提供することをさらに他の目的とする。
【００１１】
また、本発明は、締結部材がコネクタに易しく結合されて定着されることができ、雄型及び雌型コネクタの結合の際、締結部材を操作する等気を付けることなしにも、結合と同時に自動的に締結動作が完成できるボードコネクタを提供することをさらに他の目的とする。
【００１２】
また、本発明は、締結部材が結合前の状態で結合準備位置を維持するようにすることにより、締結のための動作が簡素化したボードコネクタを提供することをさらに他の目的とする。
【課題を解決するための手段】
【００１３】
前記目的を達成するための本発明の構成は、第１ボードと第２ボードを連結するためのボードコネクタであって、第１ベース及び第１ターミナルを備える第１コネクタ；第２ベース及び第２ターミナルを備える第２コネクタ；及び前記第２ベースの対向する前後方ベースにそれぞれシェル状に備えられてＥＭＩノイズを遮蔽するための二つのシールド部材を含んでなることを特徴とする。
【００１４】
ここで、前記第２コネクタに備えられ、前記第１コネクタと前記第２コネクタが近接して互いに密着して締結された後、前記第１コネクタが外側方向に移動して勝手に離脱することを防止する締結部材を含んでなることができる。
【００１５】
また、前記シールド部材は、前記前後方ベースの外側面を取り囲む垂直部；前記垂直部と一体に形成され、前後方ベースの上面を取り囲む水平部；前記垂直部の下端に形成される少なくとも一つのグラウンド用突起：及び前記水平部の左右側方には下向きに垂直に折り曲げられて形成された締結部材離脱防止部を含んでなることができる。
【００１６】
また、前記締結部材は、下側に形成される軸部；前記軸部の両側に形成される側部；前記側部の上側に形成される固定部；及び前記軸部の一側に折れた方向に伸びる押圧部；を含んでなり、前記押圧部を上方に押せば、前記軸部を基準に前記側部及び固定部が回動することができ、前記固定部が回動すれば、前記第１コネクタの係合部の外側に位置して外側への離脱を防止しながら支持することができる。
【００１７】
また、前記第２コネクタは前記第２ベースの側部に締結部を備え、前記締結部は、上側に開放した開放部；及び上側が支持部によって塞がっている定着部；を備え、前記締結部材は、前記軸部が前記定着部に位置し、前記締結部材を前記定着部を中心に回動可能に支持し、前記開放部を通じて前記第１コネクタの一部が挿入され、前記押圧部を押せば、前記締結部材が前記軸部を中心に回動し、前記固定部が前記第１コネクタの前記係合部の外側を支持する位置に移動することができる。
【００１８】
また、前記第１コネクタは、前記第１ベースに前記第２ベースと見合わせる方向に被圧部が形成され、前記被圧部が形成された反対側に前記係合部が形成され、前記第１コネクタと前記第２コネクタが密着するとき、前記第１コネクタの前記被圧部が前記開放部に挿入され、前記締結部材の前記押圧部を加圧すれば、前記締結部材は前記定着部内の前記軸部を中心に回動し、前記固定部が前記係合部の外側を支持する位置に移動することができる。
【００１９】
また、前記締結部の前記支持部の内側方には上方及び側方に開放する離隔部が形成され、前記締結部材は、前記軸部が前記離隔部の上方から下方に挿入された後、前記離隔部の下端で側方に移動して前記定着部に位置することができる。
【００２０】
また、前記締結部の離隔部の内側下方には垂直挿入孔が形成され、締結の際、前記締結部材の離脱防止部の下端が挿入され、前記離脱防止部が前記離隔部空間内で前記軸部を前記定着部内に押すことができる。
【００２１】
また、前記シールド部材の垂直部の下端には左右両端に形成される二つの第１グラウンド用突起が形成され、前記二つの第１グラウンド用突起の間に離隔して複数の第２グラウンド用突起が形成され、下部に位置する前記第２ボードには、前記二つの第１グラウンド用突起に対応して二つの第１グラウンド端子が電気的に連結され、前記二つの第１グラウンド端子の間に前記複数の第２グラウンド用突起に対応して第２グラウンド端子が複数配置されることができる。
【００２２】
また、前記第２ボードには前記第２ターミナルとの電気的連結のための電気端子が前記第１及び第２グラウンド端子とともに一列に配列され、前記第２グラウンド端子は前記電気端子より外側に突設されることができる。
【００２３】
また、前記第２グラウンド端子には、前記第２ターミナルと前記第２グラウンド用突起が同時に連結されることができる。
【００２４】
また、前記第１ボードに半田付けで結合されない部分である前記第１ターミナルの“Ｕ”字形の接触部には外側に対向するように孔状のメイン接点と突起状のサブ接点が形成され、前記第２ボードに半田付けで結合されない部分である前記第２ターミナルの“Ｕ”字形の接触部には、内側に対向するように前記孔状のメイン接点に対応するメイン接点突起と前記突起状のサブ接点に対応してガイドされる垂直面状のサブ接点面とが形成されることができる。
【００２５】
また、前記第１ボードの左右幅は前記第１コネクタの左右幅より小さいことができる。
【００２６】
また、前記シールド部材の垂直部には上下に折り曲げられた折曲部をさらに含んでなることができる。
【発明の効果】
【００２７】
本発明は、作動時に発生するコネクタのＥＭＩを遮断するとともに別途の外部操作なしにも雄型及び雌型コネクタを即時堅固に締結させることができる効果を持つ。
【００２８】
また、簡単なグラウンド構造によってＥＭＩ遮蔽機能を向上して高速信号伝送が可能な効果を持つ。
【００２９】
また、従来のようにターミナルの挿入及び抜出力を高めるための係合突起構造が全く必要でないながらも第１及び第２ターミナルの外形的な締結の位置確認が可能であるとともにターミナルの接触安全性を向上させることができる効果を持つ。
【００３０】
また、シェル状のシールド部材そのものの構造によって機械的強度を向上させることができる効果がある。
【００３１】
また、ボードのサイズをコネクタの作動が容易になるように構成することができるので、コネクタの再作業（ｒｅｗｏｒｋ）の便宜性を大幅向上させることができる効果を持つ。
【００３２】
また、本発明は、締結部材がボードコネクタに前もって定着された状態で雄型及び雌型コネクタを互いに結合させるだけで充分なので、構成が単純で結合が手軽になる効果を持つ。
【図面の簡単な説明】
【００３３】
【図１】従来のボードコネクタの断面を示す図である。
【図２】本発明による第１コネクタを分解して示す図である。
【図３】本発明による第２コネクタと締結部材を分解して示す図である。
【図４ａ】本発明によるシールド部材と第２コネクタの結合前の状態を示す図である。
【図４ｂ】本発明によるシールド部材と第２コネクタの結合後の状態を示す図である。
【図５ａ】本発明による第１コネクタとシールド部材を備えた第２コネクタの結合前の状態を示す図である。
【図５ｂ】本発明による第１コネクタとシールド部材を備えた第２コネクタの結合後の状態を示す図である。
【図６ａ】本発明による締結部材がシールド部材を備えた第２コネクタを支持して締結された状態を拡大して示す図である。
【図６ｂ】本発明による締結部材がシールド部材を備えた第２コネクタを支持して締結された状態を拡大して示す図である。
【図７ａ】本発明による締結部材の締結状態を示す断面図である。
【図７ｂ】本発明による締結部材の解除状態を示す断面図である。
【図８ａ】本発明によるシールド部材のＥＭＩ遮蔽のためのグラウンド状態を示す図である。
【図８ｂ】本発明によるシールド部材のＥＭＩ遮蔽のためのグラウンド状態を示す図である。
【図８ｃ】本発明によるシールド部材のＥＭＩ遮蔽のためのグラウンド状態を示す図である。
【図９ａ】本発明による第１コネクタの第１ターミナルと第２コネクタの第２ターミナルの結合前の状態を示す図である。
【図９ｂ】本発明による第１コネクタの第１ターミナルと第２コネクタの第２ターミナルの結合後の状態を示す図である。
【発明を実施するための形態】
【００３４】
本発明はその技術的思想または主要な特徴から逸脱することなしに他のさまざまな形態に実施可能である。よって、本発明の実施例はすべての点で単純な例示に過ぎなく、限定的に解釈されてはいけない。
【００３５】
第１、第２などの用語は多様な構成要素を説明するのに使われるもので、前記構成要素が前記用語によって限定されてはいけない。
【００３６】
このような用語は一構成要素を他の構成要素から区別する目的だけで使われる。例えば、本発明の権利範囲を逸脱しない範疇内で、第１構成要素は第２構成要素に命名することができ、同様に第２構成要素も第１構成要素に命名することができる。
【００３７】
ある構成要素が他の構成要素に“連結されている”又は“接続されている”と記述するときには、その他の構成要素に直接連結されていたり、または接続されていることもできるが、その間に他の構成要素が存在することもできると理解しなければならない。
【００３８】
一方、ある構成要素が他の構成要素に“直接連結されている”又は“直接接続されている”と記述するときには、その間に他の構成要素が存在しないものに理解しなければならない。
【００３９】
この出願で使用した用語はただ特定の実施例を説明するために使用したもので、本発明を限定しようとする意図ではない。単数の表現は文脈上他に特に規定がない限り、複数の表現を含む。
【００４０】
この出願において、“含む”、“備える”、“持つ”などの用語は明細書上記載された特徴、数字、段階、動作、構成要素、部品またはこれらの組合せが存在することを指定しようとするもので、一つまたはそれ以上の他の特徴、数字、段階、動作、構成要素、部品またはこれらの組合せものなどの存在あるいは付加の可能性を予め排除しないものに理解しなければならない。
【００４１】
他に特に規定がない限り、技術的や科学的な用語を含む、これに使われるすべての用語は本発明が属する技術分野で通常の知識を持った者によって一般的に理解されるものと同じ意味を持っている。
【００４２】
一般的に使われる前もって定義されているような用語は関連技術の文脈上で持つ意味と一致する意味を持つものに解釈しなければならなく、この出願で特に規定しない限り、理想的な意味または過度に形式的な意味に解釈してはいけない。
【００４３】
以下、添付図面に基づいて本発明の実施例を本発明が属する技術分野で通常の知識を持った者が容易に実施することができるほどに詳細に説明する。
【００４４】
図２は本発明による第１コネクタを分解して示す図である。図２を参照すれば、雄型コネクタ（Ｍａｌｅ ｃｏｎｎｅｃｔｏｒ）に相当する第１コネクタ１００は絶縁された合成樹脂材の第１ベース１１０を備え、第１ベース１１０には複数の第１ターミナル１０２が一列に並んで配置される。
【００４５】
この際、両側方には、側面部１１２を中心に第２コネクタ２００と対面する位置に被圧部１１１を備え、その反対位置には係合部１１６を備える。側面部１１２と被圧部１１１との間には内側に凹設された凹溝部１１４が備えられることができる。
【００４６】
また、それぞれの第１ターミナル１０２の略“Ｕ”字形の接触部には外側に対向するように孔状のメイン接点１０２−１と突起状のサブ接点１０２−１が形成されている。これらは、後述するように、第１コネクタ１００と第２コネクタ２００の密着結合の際、第２コネクタの第２ターミナル２０２との電気的接触のためのものである。
【００４７】
図３は本発明による第２コネクタと締結部材を分解して示す図である。図３を参照すれば、雌型コネクタ（Ｆｅｍａｌｅ ｃｏｎｎｅｃｔｏｒ）に相当する第２コネクタ２００は絶縁された合成樹脂材の第２ベース２１０を備え、第２ベース２１０には複数の第２ターミナル２０２が対向する前後方ベース２１１に沿って左右方向に一列に並んで配置される。
【００４８】
ここで、“左右”とは図面において第１及び第２コネクタの左右両側方向を指し、“前後”とは前記“左右”方向に対して水平に直交する方向を指すことを理解しなければならない。
【００４９】
この際、第２コネクタ２００の相対的に長く形成された前後方には前後方ベース２１１が形成され、前後方ベース２１１にはそれぞれ金属材のシェル（ｓｈｅｌｌ）状のシールド部材４００が設置される。
【００５０】
前後方ベース２１１は中央ベース（図面符号なし）を基準に前後に対向するように配置され、複数の第２ターミナル２０２が差し込まれる複数の溝部（図面符号なし）を除き、長方形箱状を成す。
【００５１】
前記シェル状のシールド部材４００は逆“Ｌ”字（前方シールド部材）または“Ｌ”字（後方シールド部材）の形態のもので、前後方ベース２１１の外側面を取り囲む垂直部４１１と、前記垂直部４１１と一体に形成され、前後方ベース２１１の上面を取り囲む水平部４１２とからなる。
【００５２】
また、前記シールド部材４００の垂直部４１１の下端には下部の第２ボード２の第１及び第２グラウンド端子２−２、２−３に連結されて接地させる複数の第１及び第２グラウンド用突起４３０、４３１が形成される。
【００５３】
また、前記水平部４１２の左右側方には下向きに垂直に折り曲げられた締結部材離脱防止部４２０が形成され、後述する締結部材３００の作動時に締結部材の離脱及び遊動を防止するようになっている。すなわち、離脱防止部４２０の下端は結合時に締結部２２０の垂直挿入孔２２９に挿入締結されて締結部材３００の離脱及び遊動を防止するようになる。
【００５４】
また、本発明によるシェル状のシールド部材４００は略長方形板状になった垂直部４１１と水平部４１２とからなって補強されるので、外部からの衝撃が印加されても剛性によって撓み現象を防止するだけでなく、垂直部４１１には上下に折り曲げられた折曲部４１３が形成されて機械的強度を一層向上させるようになっている。
【００５５】
一方、第２コネクタ２００の左右両側方には締結部２２０が形成され、締結部２２０には一対の締結部材３００が対向して挿入定着される。
【００５６】
締結部２２０は、中心部に上方が開放した開放部２２２が形成され、開放部２２２の両側には支持部２２６が形成されている。支持部２２６の下方には側方に水平に開放した定着部２２４が貫設されている。支持部２２６の内側には第２ターミナル２０２が結合される前後方ベース２１１との間に離隔した開放空間である離隔部２２３が形成される。
【００５７】
また、締結部２２０の離隔部２２３の内側下方には垂直挿入孔２２９が形成されることで、離脱防止部４２０の下端が締結できるようになっている。
【００５８】
一方、締結部材３００は、“ロ”字形のように内部に係止孔３２０が形成される四角の基本形態を備え、下側から軸部３３０、軸部３３０の両端から上方に向かう一対の側部３１０、及び側部３１０の間を連結する固定部３４０を備える。
【００５９】
軸部３３０には、第２ベース２１０の中心側に向かうように側部３１０に対して約９０度だけ前後に折り曲げられた形態の押圧部３５０が突設される。押圧部３５０は開放部２２２内に上方に露出されるように位置する。
【００６０】
固定部３４０には、第２ベース２１０の外側に向かうように突出する挿合部３６０が形成される。挿合部３６０は開放部２２２の外側縁部の上端に位置する挿合定着部２２８に挿合できる。
【００６１】
締結部材３００は図のように内側に係止孔３２０が形成された四角形フレーム状であることが好ましいが、場合によっては固定部３４０を折り曲げる等板の形態を変形して形成することによって係止孔がなくても同一機能をするようにすることもできる。
【００６２】
締結部材３００は、離隔部２２３の上方から軸部３３０が下側に位置するように下方に移動し、離隔部２２３を通じて挿入された軸部３３０は下端を外側に押して定着部２２４内に定着されるようにする。この際、軸部３３０は上部が支持部２２６に支持されることにより、定位置を維持しながら回動することができるようになる。
【００６３】
軸部３３０の中心側に位置する押圧部３５０は開放部２２２を通じて上方から見えるように露出され、締結部材３００が定着部２２４内に定着すれば、側部３１０が上方に向かって広がる方向に斜めに位置し、押圧部３５０は第２ベース２１０の内側に向かって斜めに上方に位置する。この際、離脱防止部４２０は締結部２２０の垂直挿入孔２２９に挿入締結されることで、結合の際に離隔部２３３の空間をより一層減らすとともに軸部３３０を定着部２２４内に押す役目をすることにより、締結部材３００の離脱及び遊動を完全に防止することができるようになるものである。
【００６４】
この際、側部３１０の下端には延長突出部３１１が下側に伸びて、離隔部２２３の外側で締結部２００、締結部材３００、及び締結部材離脱防止部４２０間の結合を一層堅固にする。
【００６５】
図４ａ及び図４ｂは本発明によるシールド部材と第２コネクタの結合の前後状態を示す図である。
【００６６】
まず、図４ａを参照すれば、結合前の状態では、締結部材３００は外側に広がった形状を有し、締結部材４００の離脱防止部４２０の下端が締結部２２０の垂直挿入孔２２９側に向かうように位置する。
【００６７】
ついで、図４ｂを参照すれば、結合後の状態では、締結部材４００の離脱防止部４２０の下端が締結部２２０の垂直挿入孔２２９の内側に挿入されるとともにシールド部材４００の垂直部４１１と水平部４１２は第２コネクタ２００の前後方ベース２１１の外側面と上面を取り囲む形態となる。
【００６８】
もちろん、シールド部材４００の垂直部４１１の下端には、下部ボード２の第１及び第２グラウンド端子２−２、２−３に連結されて接地させる複数の第１及び第２グラウンド用突起４３０、４３１が下方に突設される。
【００６９】
ここで、締結部材４００の離脱防止部４２０の下端が締結部２２０の垂直挿入孔２２９の内側に単純に挿入される形態であるので、締結部材３００は結合前と同様に外側に広がった形状を維持するようになる。
【００７０】
図５ａ及び図５ｂは本発明による第１コネクタとシールド部材を備えた第２コネクタの結合の前後状態を示す図である。
【００７１】
まず、図５ａを参照すれば、結合前の状態では、締結部材３００は外側に広がった形状を取り、図５ｂを参照すれば、結合後の状態では、締結部材３００は内側に集まって第１コネクタ１００を支持する形状を取っている。
【００７２】
第１ボード１に半田付けで結合された第１コネクタ１００は、第１ベース１１０の両側方に第２コネクタ２００と見合う方向に被圧部１１１が備えられ、その反対方向の上側には係合部１１６が備えられる。この際、係合部１１６は固定部３４０がスムーズに結合して支持するように角部が曲面部を含むようにすることが好ましい。
【００７３】
第１コネクタ１００が第２コネクタ２００に密着すれば、締結部材３００は梃子の動作のように内側に集まりながら定着部２２４を中心に回動し、係合部１１６の外側を取り囲んでいる状態となり、これを維持するようになる。また、離脱防止部４２０は締結部２２０の垂直挿入孔２２９に挿入締結されて軸部３３０を定着部２２４内に押しているので、再び外側に広がる前には第１コネクタ１００が分離されない。
【００７４】
一方、図５ｂに示すように、第１コネクタの上部に位置する第１ボード１の左右幅が対向する二つの締結部材３００間の幅より小さく、つまり第１コネクタ１００の全左右幅より小さく形成されることにより、第１コネクタより長い第１ボードを形成する従来技術に比べ、締結部材３００と第１ボード１間の干渉が全く発生せず第１コネクタ側の第１ボードのサイズをコネクタ作動に合うように容易に構想することができるので、コネクタの再作業の便宜性が大幅向上することができるようになる。
【００７５】
図６ａ及び図６ｂは本発明による締結部材がシールド部材を備えた第２コネクタを支持して締結された状態を示す拡大図である。
【００７６】
すなわち、図示のように、締結部材３００は、下端の軸部３３０が定着部２２４内に支持された状態で上端が係合部１１６の外側を取り囲んで支持している。また、シールド部材の離脱防止部４２０は軸部３３０を定着部２２４内に押している。また、支持部２２６の側方には支持突起２２７が突設され、支持突起２２７は締結部材３００の現在位置が易しく変わらないように支持する役目をする。これは、締結部材３００が締結前に広がっている状態で内側に回動しないように支持する役目も同時にするようになる。締結部材３００が支持突起２２７を越えながら微細な衝撃及び騷音が発生するので、作業者はクリック感を感じることによって、締結部材３００の動作を目で見なくても易しく感知することができるようになる。
【００７７】
図７ａ及び図７ｂは本発明による締結部材の締結状態及び解除状態を示す断面図である。図７ａを参照すれば、被圧部１１１が押圧部３５０を押せば、締結部材３００が回動するとともに固定部３４０が係合部１１６外側を取り囲む位置に近付くと同時にシールド部材の離脱防止部４２０が軸部３３０の露出面を密着して押すことで、離脱を防止するように支持している。未説明符号は挿合部３６０である。
【００７８】
図７ｂを参照すれば、作業者が締結部材３００を外方に回動させることで側部３１０が支持突起２２７を越えることができる外力を提供すれば、定着部２２４内の軸部３３０を中心に回動する締結部材３００は、梃子の原理によって押圧部３５０が被圧部１１１を押し上げるとともに固定部３４０が係合部１１６の外側から外方に抜けるようになる。これにより、第１コネクタ１００は上方に自由に排出できるようになる。
【００７９】
図８ａ〜図８ｃは本発明によるシールド部材のＥＭＩ遮蔽のためのグラウンド状態を示す図である。
【００８０】
まず、図示のように、下部に形成された第２ボード２には第２ターミナル２０２との電気的連結のための電気端子２−１と、第１及び第２グラウンド端子２−２、２−３が二列に配置されている。
【００８１】
ここで、前記第１グラウンド端子２−２はシールド部材４００の垂直部４１１の両側下端に形成された第１グラウンド用突起４３０に連結され、前記第２グラウンド端子２−３はシールド部材４００の垂直部４１１の二つの第１グラウンド用突起４３０の間に複数離隔して形成された第２グラウンド用突起４３１に連結されて接地の役目をするようになっている。ここで、前記第２グラウンド端子２−３は電気端子２−１に比べて外側にもっと突出し（およそ０．２ｍｍ）、第２グラウンド端子２−３には第２ターミナル２０２及び第２グラウンド用突起４３１が同時に接地できるようにしてシールドを一層補強するようになっている。
【００８２】
図９ａ及び図９ｂは本発明による第１コネクタの第１ターミナルと第２コネクタの第２ターミナルの結合前後の状態を示す図である。
【００８３】
すなわち、図示のように、第１ボード１に半田付けで結合されない部分である第１ターミナル１０２の略“Ｕ”字形の接触部には外側に対向するように溝状のメイン接点１０２−１と突起状のサブ接点１０２−２が形成されている。一方、第１ターミナル１０２の略“Ｕ”字形の接触部に対応し、第２ボード２に半田付けで結合されない部分である第２ターミナル２０２の略“Ｕ”字形の接触部には内側に対向するようにメイン接点突起２０２−１と垂直面状のサブ接点面２０２−２が形成され、図９ｂに示すように、完全結合の際、第１ターミナル１０２の孔状のメイン接点１０２−１は第２ターミナル２０２のメイン接点突起２０２−１に電気的に接触して連結され、第１ターミナル１０２の突起状のサブ接点１０２−２は第２ターミナル２０２の垂直面状のサブ接点面２０２−２にガイドされながら接触して電気的に連結される形態となる。
【００８４】
実際に、従来には第２ターミナル２０２の略“Ｕ”字形の接触部のサブ接点面の上側に係合突起が形成されることにより、第１ターミナルが第２ターミナルから離脱することを防止するようになっているが、本発明においては、サブ接点面２０２−２を垂直平面状に形成するので、従来のような係合突起を適用する必要がない。これは、前述したような締結部材３００及びシールド部材４００を活用することだけで第１及び第２コネクタの安定的な結合によって離脱や分離の現象を防止するだけでなく、第１及び第２ターミナルの外形的な締結位置の確認が可能であるからである。
【００８５】
本発明は多様な形態に具現可能であり、前述した実施例に限定されなく、図面で本発明を明確に説明するために説明に関係ない部分は省略した。以上、本発明の実施例について詳細に説明したが、本発明の権利範囲はこれに限定されるものではなく、次の請求範囲で定義している本発明の基本概念を用いた当業者の多様な変形及び改良の形態も本発明の権利範囲に属するものである。
【産業上の利用可能性】
【００８６】
本発明は、締結部材離脱防止部を持つシールド部材備えることで、作動時に発生するコネクタのＥＭＩを遮断するとともに、ボード対ボードコネクタの結合の際、締結された雌型コネクタと雄型コネクタが勝手に分離されないようにするシールド及び締結型ボードコネクタに適用可能である。
【符号の説明】
【００８７】
１、２    第１及び第２ボード
２−１    電気端子
２−２、２−３    第１及び第２グラウンド用端子
１００    第１コネクタ
１０２    第１ターミナル
１１０    第１ベース
１１１    被圧部
１１２    側面部
１１４    凹溝部
１１６    係合部
２００    第２コネクタ
２０２    第２ターミナル
２１０    第２ベース
２２０    締結部
２２２    開放部
２２３    離隔部
２２４    定着部
２２５    回動固定部
２２６    支持部
２２７    支持突起
２２８    挿合定着部
２２９    垂直挿入孔
３００    締結部材
３１０    側部
３１１    延長突出部
３２０    係止孔
３３０    軸部
３４０    固定部
３５０    押圧部
３６０    挿合部
４００    シェル状のシールド部材
４１１    垂直部
４１２    水平部
４１３    折曲部
４２０    締結部材離脱防止部
４３０、４３１    第１及び第２グラウンド用突起
【図１】
2015095447.tif 000003
【図２】
2015095447.tif 000004
【図３】
2015095447.tif 000005
【図４ａ】
2015095447.tif 000006
【図４ｂ】
2015095447.tif 000007
【図５ａ】
2015095447.tif 000008
【図５ｂ】
2015095447.tif 000009
【図６ａ】
2015095447.tif 000010
【図６ｂ】
2015095447.tif 000011
【図７ａ】
2015095447.tif 000012
【図７ｂ】
2015095447.tif 000013
【図８ａ】
2015095447.tif 000014
【図８ｂ】
2015095447.tif 000015
【図８ｃ】
2015095447.tif 000016
【図９ａ】
2015095447.tif 000017
【図９ｂ】
2015095447.tif 000018
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
第１ボードと第２ボードを連結するためのボードコネクタにおいて、
第１ベース及び第１ターミナルを備える第１コネクタ；
第２ベース及び第２ターミナルを備える第２コネクタ；及び
前記第２ベースの対向する前後方ベースにそれぞれシェル状に備えられてＥＭＩノイズを遮蔽するための二つのシールド部材を含んでなり、
前記第２コネクタに備えられ、前記第１コネクタと前記第２コネクタが近接して互いに密着して締結された後、前記第１コネクタが外側方向に移動して勝手に離脱することを防止する締結部材を含んでなり、
前記シールド部材は、
前記前後方ベースの外側面を取り囲む垂直部；
前記垂直部と一体に形成され、前後方ベースの上面を取り囲む水平部；
前記垂直部の下端に形成される少なくとも一つのグラウンド用突起：及び
前記水平部の左右側方には下向きに垂直に折り曲げられて形成された締結部材離脱防止部を含んでなることを特徴とする、シールド及び締結型ボードコネクタ。
【請求項２】
前記締結部材は、
下側に形成される軸部；
前記軸部の両側に形成される側部；
前記側部の上側に形成される固定部；及び
前記軸部の一側に折れた方向に伸びる押圧部；を含んでなり、
前記押圧部を上方に押せば、前記軸部を基準に前記側部及び固定部が回動することができ、
前記固定部が回動すれば、前記第１コネクタの係合部の外側に位置して外側への離脱を防止しながら支持することを特徴とする、請求項１に記載のシールド及び締結型ボードコネクタ。
【請求項３】
前記第２コネクタは前記第２ベースの側部に締結部を備え、
前記締結部は、
上側に開放した開放部；及び
上側が支持部によって塞がっている定着部；を備え、
前記締結部材は、前記軸部が前記定着部に位置し、前記締結部材を前記定着部を中心に回動可能に支持し、
前記開放部を通じて前記第１コネクタの一部が挿入され、前記押圧部を押せば、前記締結部材が前記軸部を中心に回動し、前記固定部が前記第１コネクタの前記係合部の外側を支持する位置に移動することを特徴とする、請求項２に記載のシールド及び締結型ボードコネクタ。
【請求項４】
前記第１コネクタは、
前記第１ベースに前記第２ベースと見合わせる方向に被圧部が形成され、
前記被圧部が形成された反対側に前記係合部が形成され、
前記第１コネクタと前記第２コネクタが密着するとき、前記第１コネクタの前記被圧部が前記開放部に挿入され、前記締結部材の前記押圧部を加圧すれば、前記締結部材は前記定着部内の前記軸部を中心に回動し、前記固定部が前記係合部の外側を支持する位置に移動することを特徴とする、請求項３に記載のシールド及び締結型ボードコネクタ。
【請求項５】
前記締結部の前記支持部の内側方には上方及び側方に開放する離隔部が形成され、
前記締結部材は、前記軸部が前記離隔部の上方から下方に挿入された後、前記離隔部の下端で側方に移動して前記定着部に位置することを特徴とする、請求項３に記載のシールド及び締結型ボードコネクタ。
【請求項６】
前記締結部の離隔部の内側下方には垂直挿入孔が形成され、締結の際、前記締結部材の離脱防止部の下端が挿入され、前記離脱防止部が前記離隔部空間内で前記軸部を前記定着部内に押すことを特徴とする、請求項５に記載のシールド及び締結型ボードコネクタ。
【請求項７】
前記シールド部材の垂直部の下端には左右両端に形成される二つの第１グラウンド用突起が形成され、前記二つの第１グラウンド用突起の間に離隔して複数の第２グラウンド用突起が形成され、
下部に位置する前記第２ボードには、前記二つの第１グラウンド用突起に対応して二つの第１グラウンド端子が電気的に連結され、前記二つの第１グラウンド端子の間に前記複数の第２グラウンド用突起に対応して第２グラウンド端子が複数配置されることを特徴とする、請求項１に記載のシールド及び締結型ボードコネクタ。
【請求項８】
前記第２ボードには前記第２ターミナルとの電気的連結のための電気端子が前記第１及び第２グラウンド端子とともに一列に配列され、
前記第２グラウンド端子は前記電気端子より外側に突設されることを特徴とする、請求項７に記載のシールド及び締結型ボードコネクタ。
【請求項９】
前記第２グラウンド端子には、前記第２ターミナルと前記第２グラウンド用突起が同時に連結されることを特徴とする、請求項８に記載のシールド及び締結型ボードコネクタ。
【請求項１０】
前記第１ボードに半田付けで結合されない部分である前記第１ターミナルの“Ｕ”字形の接触部には外側に対向するように孔状のメイン接点と突起状のサブ接点が形成され、
前記第２ボードに半田付けで結合されない部分である前記第２ターミナルの“Ｕ”字形の接触部には、内側に対向するように前記孔状のメイン接点に対応するメイン接点突起と前記突起状のサブ接点に対応してガイドされる垂直面状のサブ接点面とが形成されることを特徴とする、請求項１に記載のシールド及び締結型ボードコネクタ。
【請求項１１】
前記第１ボードの左右幅は前記第１コネクタの左右幅より小さいことを特徴とする、請求項１に記載のシールド及び締結型ボードコネクタ。
【請求項１２】
前記シールド部材の垂直部には上下に折り曲げられた折曲部をさらに含んでなることを特徴とする、請求項１に記載のシールド及び締結型ボードコネクタ。